(57)【特許請求の範囲】
【請求項１】
スクイズ変形可能な筒状の胴部(4)を有し、該胴部(4)の一方の開口端にテーパー筒状の肩部(3)を介して口筒部(2)を起立設した合成樹脂製のチューブ容器において、前記肩部(3)の平面形状を扁平状の円形とし、前記口筒部(2)の起立位置を、前記肩部(3)の中央から前記扁平状の円形の長径方向に沿って周縁部方向に偏位させた位置とし、該偏位により肩部(3)に広幅側部分(P)を配設し、該広幅側部分(P)を指先での押圧部として利用することにより、前記肩部(3)から胴部(4)上端部にかけての部分の扁平化押潰し操作を容易に実施可能な構成とし、前記広幅側部分(P)に指先の滑り止めのための凹凸を形成し、前記広幅側部分(P)の周縁部の直下近傍で前記胴部(4)の上端部の周壁に水平状の折れ目線(LB)を予め形成、配設したことを特徴とするチューブ容器。
【発明の詳細な説明】
【技術分野】
【０００１】
本発明は、筒状の胴部のスクイズ性を利用して内容物を注出するチューブ容器に関するものである。
【背景技術】
【０００２】
チューブ容器は、たとえば特許文献１に記載があるように、押出成形したチューブ体や合成樹脂シートを巻回したチューブ体を胴部とし、この胴部の一方の開放端に肩部および口筒部からなるヘッド部を射出成形あるいは圧縮成形によって取り付ける方法、あるいはブロー成形により有底筒状の胴部の上端に肩部を介して口筒部を起立設した壜体を成形し、胴部の下端から底部を切除し、胴部の下端を開口端とする方法により製造されるが、いずれの場合も、口筒部とは逆側の開放端から内容物を充填後、この開放端を熱シール法や超音波法等により密閉し、チューブ容器製品として使用される。
【０００３】
そして、この種のチューブ容器は胴部をスクイズ変形可能に柔軟に形成し、そのスクイズ性を利用した注出容器として、クリーム状あるいはジェル状の化粧料、歯磨剤、液状の石鹸、さらにはマヨネーズ、ドレッシング、ソース等の液状の食品等を充填、収納した製品分野で幅広く、便利に使用されている。
また、チューブ容器の特に胴部には、その柔軟性や成形性を生かしてポリエチレン樹脂を使用する場合が多いが、内容物の品質の低下を抑制するために、酸素に対する高いガスバリア性を有する合成樹脂層や、特許文献１にも記載される内容物の成分の外部への浸透を抑制するための非浸透性樹脂層を積層する、さらにアルミラミネートフィルムを使用する等の方法が採用されている。
【先行技術文献】
【特許文献】
【０００４】
【特許文献１】特開２００３−５４５８９号公報
【発明の概要】
【発明が解決しようとする課題】
【０００５】
ここで、チューブ容器製品の使い勝手と云う観点からみると、容易に、内容物を略最後まで使い切ることができるようにすることが、製品設計の大きな課題の一つである。特に、容器としての形状を保持するため、肩部は比較的厚肉に成形するため、肩部から胴部の上端部にかけての領域は、指先で完全に扁平状に押し潰すことが困難であり、どうしてもこの肩部から胴部の上端部にかけての領域に内容物が使用されずに残留してしまう、と云う問題がある。
【０００６】
本発明は、チューブ容器において肩部から胴部の上端部にかけての領域での扁平化押潰し操作が容易に達成できるようにすることを課題とするものであり、内容物を略最後まで使い切ることが可能な使い勝手に優れたチューブ容器を提供することを目的とするものである。
【課題を解決するための手段】
【０００７】
上記技術的課題を解決する手段の内、本発明の主たる構成は、
スクイズ変形可能な筒状の胴部を有し、胴部の一方の開口端にテーパー筒状の肩部を介して口筒部を起立設した合成樹脂製のチューブ容器において、
肩部の平面形状を扁平状の円形とし、
口筒部の起立位置を肩部の中央から扁平状の円形の長径方向に沿って周縁部方向に偏位させた位置とし、
この偏位により肩部に広幅側部分を配設し、
この広幅側部分を指先での押圧部として利用することにより、肩部から胴部上端部にかけての部分の扁平化押潰し操作を容易に実施可能な構成とし、
肩部の広幅側部分に指先の滑り止めのための凹凸を形成し、
広幅側部分の周縁部の直下近傍で胴部の上端部の周壁に水平状の折れ目線を予め形成、配設する、と云うものである。
【０００８】
上記構成により、口筒部を肩部の中央から周縁部方向に偏位して起立設することにより、肩部の口筒部を挟んだ両側の、一方の側に幅の広い広幅側部分を配置することができる。
本発明は、上記した肩部の広幅側部分を利用し、この広幅側部分に指先を当てて斜め下方に押圧力を作用させ、肩部から胴部上端部にかけての部分の扁平化押潰し操作を容易に達成できるようにしたものである。
【０００９】
肩部の広幅側部分を利用することにより、指先を当接させる面積を十分に確保することができ、押圧力を効果的に作用させることができる。
そして、広幅側部分に指先を当てて斜め下方に力を作用させると、この広幅側部分の周縁部の直下近傍で胴部の上端部の周壁に予め形成、配設した水平状の折れ目線に沿って周壁の折り畳み状の屈曲変形が進行するが、広幅側部分では口筒部の基端部から周縁部にかけての長さ寸法が大きいので、押圧操作に係る慣性モーメントを大きくすることができ、上記折り畳み状の屈曲変形をスムーズに進行させて、周壁の扁平化押潰し操作を容易に達成することが可能となる。また、広幅側部分への指先による押圧操作をより確実に実行することができる。
【００１０】
また、上記のような折り畳み状の屈曲変形が進行した扁平化押潰し操作の最終段階では、広幅側部分とその反対側の胴部の周壁から、指先で摘むようにして押圧力を作用させるが、この際にも厚肉で面積の大きな板状片と云える広幅側部分を利用し、ほぼ完全に扁平状に押し潰すことができ、内容物を略最後まで使い切ることが可能となる。
【００１２】
肩部の平面形状を扁平状の円形とし、口筒部の起立位置を、肩部の中央から扁平状の円形の長径方向に沿って周縁部方向に偏位させた位置とすることにより、
広幅側部分をより幅広にすることができ、扁平化押潰し操作をより容易に、またスムーズに達成することが可能となる。
ここで、扁平状の円形として、例えば楕円状、長円状等の形状を採用することができる。
【発明の効果】
【００１５】
本発明は、上記した構成となっているので、以下に示す効果を奏する。
本発明のチューブ容器の主たる構成を有するものにあっては、
口筒部を肩部の中央から偏位させて起立設することにより、肩部の、口筒部を挟んで一方の側を広幅側部分とすることができ、肩部から胴部の上端部にかけての部分の扁平化押潰し操作において、指先を当接させる面積を十分に確保することができ、押圧力を効果的に作用させることができる。
そして、広幅側部分に指先を当てて斜め下方に力を作用させると、この広幅側部分の周縁部の直下近傍で胴部の上端部の周壁に予め形成、配設した水平状の折れ目線に沿って周壁の折り畳み状の屈曲変形が進行するが、広幅側部分では口筒部の基端部から周縁部にかけての長さ寸法が大きいので、押圧操作に係る慣性モーメントを大きくすることができ、上記折り畳み状の屈曲変形をスムーズに進行させて、周壁の扁平化押潰し操作を容易に達成することができる。
【図面の簡単な説明】
【００１６】
【図１】本発明のチューブ容器の正面図である。
【図２】図１の容器の平面図である。
【図３】図１の容器の斜視図である。
【図４】図１の容器における肩部近傍の扁平化押潰し操作に係る説明図である。
【発明を実施するための形態】
【００１７】
以下、本発明の実施の形態を実施例に沿って図面を参照しながら説明する。
図１、図２、図３は本発明によるチューブ容器の一実施例を示すものであり、図１は正面図、図２は平面図、図３は斜視図である。
この容器は、押出成形による低密度ポリエチレン（ＬＤＰＥ）樹脂製の円筒状のチューブ体から成る胴部４の一方の（図１中では上部の）開放端に肩部３および口筒部２からなる同様にＬＤＰＥ樹脂製のヘッド部Ｈを射出成形あるいは圧縮成形により溶着状に一体形成したものである。
このチューブ容器１は、他方の（図１中では下部の）開放端から内容物を充填し、その後、端部を熱溶着法や超音波法等により図１中二点鎖線で示したように扁平状にしてシール部６を形成して密閉し、チューブ容器製品として使用される。
【００１８】
本実施例の容器１の胴部４の径は３０ｍｍ、高さは１５５ｍｍであり、肩部３の平断面形状は楕円状でその長径は３４ｍｍ、短径は２８ｍｍである。
また、口筒部２は肩部３の中央位置から長径方向に沿って周縁部３ａ方向に７ｍｍ偏位して起立設されており、この口筒部２の偏位により肩部３の、口筒部２を挟んだ両側の、一方は口筒部２の基端部２ｂから周縁部３ｂにかけて幅広の広幅側部分Ｐとなり、もう一方は基端部２ａから周縁部３ａにかけて幅の狭い部分となる。
なお、上記のように肩部３の平断面形状を楕円状としているため、シール部６を形成する前の状態の容器１では、胴部４の平断面形状は上端部の楕円形から下端部の円形へと緩やかに変化している。（図１、２参照）
【００１９】
また、肩部３の広幅側部分Ｐは後述するように指先で押圧力を作用させる部分であるが、この広幅側部分Ｐには滑り止めのため、溝状に凹凸７が形成されている。
【００２０】
次に、斜視図で示される図４は本実施例の容器１において、肩部３から胴部４の上端部にかけての部分に残留した内容物を注出する際に実施する扁平化押潰し操作に係る説明図である。図４は扁平化押潰し操作の最終段階に近い状態を示しているが、この図にあるように、この操作は、一般的に、肩部３の広幅側部分Ｐに親指Ｆｓを懸け、その反対側に人差し指Ｆｉを添えて実施することができる。
【００２１】
扁平化押潰し操作の初期には、肩部３の広幅側部分Ｐに親指Ｆｓの指先を当て、図３中、黒矢印に示されるように斜め下方に押圧力を作用させるが、広幅側部分Ｐの幅、すなわち、図２あるいは図３中で口筒部２の基端部２ｂから周縁部３ｂにかけての長さ寸法が大きいので、親指Ｆｓを十分に当接させることができ、押圧力を効果的に作用させることができる。
【００２２】
そして、広幅側部分Ｐに指先を当てて斜め下方に押圧力を作用させると、この広幅側部分Ｐの周縁部の直下近傍で胴部４の上端部の周壁に水平状の折れ目線ＬＢ（図３、４参照）ができ、以降はこの折れ目線ＬＢに沿った周壁の折り畳み状の屈曲変形が進行する。
ここでも、前述したように広幅側部分Ｐでは口筒部２の基端部２ｂから周縁部３ｂにかけての長さ寸法が大きいので、押圧操作に係る慣性モーメントを大きくすることができ、上記した胴部４の上端部の周壁の折り畳み状の屈曲変形をスムーズに進行させて、周壁の扁平化押潰し操作を容易に達成することができる。
【００２３】
ここで、折れ目線ＬＢは予め形成、配設してあり、広幅側部分Ｐの斜め下方への変位に伴う偏平化押潰し操作の初期に図３中、二点鎖線で示される折り目線ＬＢを図３中、白抜き矢印の方向に指先で若干押して凹ますことにより、その後の偏平化押潰し操作をよりスムーズに実施することができる。
【００２４】
そして、図４の状態まで扁平化すると、さらに両手の親指と人差し指を使って肩部３と胴部４の上端部を挟むようにして押圧することにより胴部４の上端部から肩部３にかけての領域をほぼ完全に扁平状に押し潰すことができ、内容物を略最後まで使い切ることができる。
そして、このような最終的な扁平化押潰し操作の際にも、厚肉で面積の大きな板状片と云える広幅側部分Ｐを介して、胴部４の上端部を十分に扁平化することができる。
【００２５】
以上、実施例に沿って本発明の構成とその作用効果について説明したが、本発明の実施の形態は上記実施例に限定されるものではない。
上記実施例では肩部３の平断面形状を楕円状としたが、長円状に扁平化した円形状とすることもできる。
また、上記実施例では押出成形によるチューブ体にヘッド部を一体連結する構成としたが、チューブ体を合成樹脂製シートの巻回したものとすることもでき、さらにはブロー成形による壜体を利用することもできる。
【００２６】
また、使用する合成樹脂についてはＬＤＰＥ樹脂に限定されるものではなく、内容物やその使用態様により他の合成樹脂を使用することもでき、さらに必要に応じてガスバリア性を有する合成樹脂層や非浸透性樹脂層等を積層したり、アルミラミネートフィルムを使用することもできる。
【産業上の利用可能性】
【００２７】
以上説明したように本発明のチューブ容器は、内容物を略最後まで使い切ることができる使い勝手に優れたものであり、スクイズタイプの注出容器として幅広い用途での利用展開が期待される。
【符号の説明】
【００２８】
１  ；容器
２  ；口筒部
３  ；肩部
３ａ、３ｂ；周縁部
４  ；胴部
６  ；シール部
７  ；凹凸
Ｆｓ；親指
Ｆｉ；人差し指
Ｈ  ；ヘッド部
Ｌ  ；寸法
ＬＢ；折れ目線
Ｐ  ；広幅側部分
【図１】
0005716988.tif 000002
【図２】
0005716988.tif 000003
【図３】
0005716988.tif 000004
【図４】
0005716988.tif 000005